(57)【要約】      （修正有）【課題】任意形状の表示パネルを提供する。【解決手段】表示パネルは、データ駆動ユニット４１と、第一デマルチプレクサユニット５１と、データ駆動ユニットと第一デマルチプレクサユニットの入力端との間に接続される複数本の第一データ線６３と、第一デマルチプレクサユニットの出力端に接続される複数本の第二データ線６４とを備える。【選択図】図２
0003200183.tif 000002
【実用新案登録請求の範囲】
【請求項１】
データ駆動ユニットと、
第一デマルチプレクサユニットと、
前記データ駆動ユニットと前記第一デマルチプレクサユニットの入力端との間に接続される複数本の第一データ線と、
前記第一デマルチプレクサユニットの出力端に接続される複数本の第二データ線と、を備えることを特徴とする表示パネル。
【請求項２】
複数本の第三データ線及び第二デマルチプレクサユニットをさらに備え、前記第二デマルチプレクサユニットの入力端は前記データ駆動ユニットに接続され、且つ前記第二デマルチプレクサユニットの出力端は前記複数本の第三データ線に接続されることを特徴とする、請求項１に記載の表示パネル。
【請求項３】
前記第一デマルチプレクサユニットは少なくとも１つの第一デマルチプレクサを備えることを特徴とする、請求項１に記載の表示パネル。
【請求項４】
前記第一デマルチプレクサは入力節点及び複数の出力節点を含むことを特徴とする、請求項３に記載の表示パネル。
【請求項５】
前記入力節点は前記第一データ線の内の何れか１本に接続され、且つ前記複数の出力節点は前記複数本の第二データ線に接続されることを特徴とする、請求項４に記載の表示パネル。
【請求項６】
前記第一デマルチプレクサは第一クロック信号に接続されると共に前記データ駆動ユニットの第一データ信号を前記複数の出力節点の内の何れか１つに選択的に提供することを特徴とする、請求項５に記載の表示パネル。
【請求項７】
前記データ駆動ユニットは第二データ信号を前記複数本の第一データ線の内の何れか１つに提供することを特徴とする、請求項６に記載の表示パネル。
【請求項８】
前記第一データ信号のタイミングは前記第二データ信号のタイミングより早いことを特徴とする、請求項７に記載の表示パネル。
【請求項９】
前記第二デマルチプレクサユニットは少なくとも１つの第二デマルチプレクサを含むことを特徴とする、請求項２に記載の表示パネル。
【請求項１０】
前記第二デマルチプレクサは前記複数本の第三データ線に接続されることを特徴とする、請求項９に記載の表示パネル。
【請求項１１】
前記第二デマルチプレクサは第二クロック信号に結合されると共に前記複数本の第三データ線の内の何れか１つを選択的に駆動させることを特徴とする、請求項１０に記載の表示パネル。
【考案の詳細な説明】
【技術分野】
【０００１】
本考案は、任意形状の表示パネルに関する。
【背景技術】
【０００２】
一般的には、表示パネルは矩形形状を呈すると共に複数の画素と、少なくとも１つのゲートドライバと、少なくとも１つのデータ駆動器と、複数のデマルチプレクサと、複数本のゲート線と、複数本のデータ線とを備える。各画素は前記複数本のゲート線内の何れか１本により前記ゲートドライバに接続され、且つ各画素は前記複数本のデータ線の内の何れか１本及び複数のデマルチプレクサの内の何れか１つにより前記データ駆動器に接続される。
【考案の概要】
【考案が解決しようとする課題】
【０００３】
しかしながら、円形の表示パネルが必要な場合、前記ゲートドライバとデマルチプレクサとの間で衝突することがあるため、設計が困難であった。そこで、本考案者は上記の欠点が改善可能と考え、鋭意検討を重ねた結果、合理的設計で上記の課題を効果的に改善する本考案の提案に到った。
【０００４】
本考案は、以上の従来技術の課題を解決する為になされたものである。即ち、本考案の目的は、表示パネルを提供する。表示パネル内の回路間での衝突を回避させる。
【課題を解決するための手段】
【０００５】
上述した課題を解決し、目的を達成するために、本考案に係る表示パネルは、データ駆動ユニットと、第一デマルチプレクサユニットと、前記データ駆動ユニットと前記第一デマルチプレクサユニットの入力端との間に接続される複数本の第一データ線と、前記第一デマルチプレクサユニットの出力端に接続される複数本の第二データ線とを備えることを特徴とする。
【考案の効果】
【０００６】
本考案によれば、表示パネル内の回路間での衝突を回避させる。
【図面の簡単な説明】
【０００７】
【図１】図１は、本考案の第１実施形態に係る表示パネルを示す概念図である。
【図２】図２（ａ）は、本考案の表示パネルの右半分を示す操作の概念図であり、図２（ｂ）は、本考案の表示パネルの右半分を示す回路の概念図である。
【図３】図３は、本考案の表示パネルの右半分を示すタイミングの概念図である。
【図４】図４（ａ）は、本考案の表示パネルの左半分を示す操作の概念図であり、図４（ｂ）は、本考案の表示パネルの左半分を示す回路の概念図である。
【図５】図５は、本考案の表示パネルの左半分を示すタイミングの概念図である。
【図６】図６は、本考案の第２実施形態に係る表示パネルを示す概念図である。
【図７】図７（ａ）は、本考案の第３実施形態に係る表示パネルを示す概念図であり、図７（ｂ）は、従来の表示パネルを比較する図である。
【考案を実施するための形態】
【０００８】
以下に図面を参照して、本考案を実施するための形態について、詳細に説明する。なお、本考案は、以下に説明する実施形態に限定されるものではない。
【０００９】
＜第１実施形態＞
図１は本考案の第１実施形態に係る表示パネルを示す概念図である。本実施形態の表示パネル１１は、複数の画素２１と、ゲートドライバ３１と、データ駆動ユニット４１と、第一デマルチプレクサユニット(De-MUX) ５１と、第二デマルチプレクサユニット５２と、複数本のゲート線６１と、複数本のデータ線６２とを備える。前記複数の画素２１は行列方式で配列され、前記複数の画素２１は前記複数本のゲート線６１の内の何れか１本及び前記複数本のデータ線６２の内の何れか１本に各々接続される。前記ゲートドライバ３１は前記複数本のゲート線６１に接続されて前記複数の画素２１を駆動させる。前記複数本のゲート線６１は第一方向に設置され、前記複数本のデータ線６２は第二方向に設置される。前記第一方向及び前記第二方向は互いに平行せず、好ましくは、前記第一方向は前記第二方向に直交し、前記複数の画素２１は赤色画素と、緑色画素と、青色画素とを含む。
【００１０】
本実施形態では、前記表示パネル１１は円形表示パネルであり、前記ゲートドライバ３１は第一駆動ユニット３２及び第二駆動ユニット３３をさらに備える。円形に対して、前記第一駆動ユニット３２及び前記第二駆動ユニット３３は２つの円周部分にそれぞれ位置されて互いに実質的に対向し合い、且つ前記第一デマルチプレクサユニット５１及び前記第二デマルチプレクサユニット５２は前記２つの円周部分にそれぞれ位置されて実質的に互いに対向し合う。前記第一駆動ユニット３２は前記第二駆動ユニット３３に接続されて駆動信号を提供して前記第二駆動ユニット３３に接続される前記複数の画素２１を駆動させる。前記複数の画素２１に対して、前記第一駆動ユニット３２は前記複数の画素２１の右下方に設置され、前記第二駆動ユニット３３は複数の画素２１の左上方に設置され、前記第一デマルチプレクサユニット５１は複数の画素２１の右上方に設置され、前記第二デマルチプレクサユニット５２は複数の画素２１の左下方に設置される。
【００１１】
図２（ａ）及び図２（ｂ）はそれぞれ本考案に係る表示パネルの右半分を示す操作の概念図及び回路の概念図である。図２（ｂ）の破線円形箇所６は図２（ａ）に示す破線円形箇所である。前記複数本のデータ線６２は、前記データ駆動ユニット４１と前記第一デマルチプレクサユニット５１の入力端５３との間に接続される複数本の第一データ線６３、及び前記第一デマルチプレクサユニット５１の出力端５４に接続される複数本の第二データ線６４を備える。前記第一デマルチプレクサユニット５１は少なくとも１つの第一デマルチプレクサ５５を備え、前記第一デマルチプレクサ５５は入力節点５３及び複数の出力節点５４を含む。前記入力節点５３は前記等第一データ線６３の内の何れか１つに接続され、前記複数の出力節点５４は前記複数本の第二データ線６４に接続される。図２（ｂ）に示すように、前記第一デマルチプレクサ５５はデータ線Dｎ‐２により前記データ駆動ユニット４１に接続されて前記データ駆動ユニット４１からのデータ信号を受信させると共に前記データ信号を前記３つの画素２１の内の何れか１つにそれぞれ提供する。
【００１２】
図３は本考案の表示パネルの右半分を示すタイミングの概念図である。図２（ｂ）及び図３に示すように、前記第一デマルチプレクサ５５は第一クロック信号に接続されると共に前記データ駆動ユニット４１の第一データ信号を前記複数の出力節点５４の内の何れか１つに選択的に提供し、続いて前記データ駆動ユニット４１が第二データ信号を前記複数本の第一データ線６３の内の何れか１つに提供する。前記第一データ信号のタイミングは前記第二データ信号のタイミングより早い。前記ゲートドライバ３１がゲート線Gｍを介して前記等画素２１を駆動させると、前記データ駆動ユニット４１がデータ線Dｎにより前記第一データ信号及び第二データ信号を前記第一デマルチプレクサ５５に提供する。前記第一データ信号及び第二データ信号は赤色(R)信号と、緑色(G)信号と、青色(B)信号とを含む。前記タイミングは先ず第一信号ＣＫＨ１を提供して緑色信号(第一データ信号)が前記画素(G、緑色)２１に提供され、次に、第二信号ＣＫＨ２を提供して青色信号(第一データ信号)が前記画素(B、青色)２１に提供され、その後、前記データ駆動ユニット４１が赤色(第二データ信号)信号を前記画素(R、赤色)２１に直接に提供する。
【００１３】
図４（ａ）及び図４（ｂ）はそれぞれ本考案に係る表示パネルの左半分を示す操作の概念図及び回路の概念図である。図４（ｂ）の破線円形箇所７は図４（ａ）に示す破線円形箇所であり、前記複数本のデータ線６２は複数本の第三データ線をさらに備える。前記第二デマルチプレクサユニット５２の入力端５６は前記データ駆動ユニット４１に接続され、且つ前記第二デマルチプレクサユニット５２の出力端５７は前記複数本の第三データ線６５に接続され、また、前記第二デマルチプレクサユニット５２は少なくとも１つの第二デマルチプレクサ５８を含み、前記第二デマルチプレクサ５８は前記複数本の第三データ線６５に接続される。図４（ｂ）に示すように、前記第二デマルチプレクサ５８は前記データ駆動ユニット４１に直接に接続されて前記データ駆動ユニット４１からのデータ信号を受信させると共に前記データ信号を前記複数の画素２１の内の何れか１つにそれぞれ提供する。
【００１４】
図５は本考案の表示パネルの左半分を示すタイミングの概念図である。図４（ｂ）及び図５に示すように、前記第二デマルチプレクサ５８は第二クロック信号に接続されて前記複数本の第三データ線６５の内の何れか１つを選択的に駆動させる。前記ゲートドライバ３１が前記ゲート線Gｉを介して前記画素２１を駆動させると、前記データ駆動ユニット４１が前記第一データ信号を前記第二デマルチプレクサ５８に直接に提供する。前記第一データ信号は赤色(R)信号と、緑色(G)信号と、青色(B)信号とを含む。前記タイミングは先ず第一信号ＣＫＨ１を提供して赤色信号が前記画素(R、赤色)２１に提供され、その後第二信号ＣＫＨ２を提供して緑色信号が前記画素(G、緑色)２１に提供され、最後に第三信号ＣＫＨ３を提供して青色信号が前記画素(B、青色)２１に提供される。
【００１５】
＜第２実施形態＞
図６は本考案の第２実施形態に係る表示パネルを示す概念図である。前記表示パネルは中央箇所に孔部を有する矩形表示パネルである。前記ゲートドライバ３１は、複数の画素(図示せず)の第一側に設置される第一駆動ユニット３２及び前記複数の画素の第二側に設置される第二駆動ユニット３３を備える。前記第二側は前記第一側に対向し、前記第一デマルチプレクサユニット５１は前記複数の画素の上方に設置され、前記第二デマルチプレクサユニット５２は前記複数の画素の下方に設置される。前記第一デマルチプレクサユニット５１及び前記第二デマルチプレクサユニット５２の機能は第１実施形態と同じであるため、再述は省略する。
【００１６】
図７（ａ）は本考案の第３実施形態に係る表示パネルを示し、図７（ｂ）は、従来の表示パネルを示すが、これらの比較のための図である。この実施形態では、前記表示パネルの形状は矩形である。前記第一デマルチプレクサユニット５１は複数の画素(図示せず)の上方に設置され、これによりデータ駆動ユニット４１に対向する。前記ゲートドライバ３１は、複数の画素の第一側に設置される第一駆動ユニット３２及び複数の画素の第二側に設置される第二駆動ユニット３３を備え、前記第二側は第一側に対向する。前記第一デマルチプレクサユニット５１の機能は第１実施形態の第一デマルチプレクサと同じであるため、再述は省略する。比較すると、従来の表示パネルのデマルチプレクサユニット５２は複数の画素(図示せず)の下方に設置され、且つデータ駆動ユニット４１の真上に設置される。換言すれば、従来の表示パネルの前記デマルチプレクサユニット５２がファンアウト(fan-out)区域に代替されて底部辺縁が縮小し、これにより、表示パネルの底部のベゼルのサイズがＤｂからＤａ(Db>Da)に縮減され、ベゼルの狭い表示パネルを提供する（図７（ｂ）参照）。
【００１７】
以上に述べた実施形態は、あくまでも説明の便宜のために挙げたものであって、本発明で主張する権利範囲は実用新案登録請求の範囲で記載されるものを基準とし、上記実施形態のみに限定されるものではない。
【符号の説明】
【００１８】
１１  表示パネル
２１  画素
３１  ゲートドライバ
４１  データ駆動ユニット
３２  第一駆動ユニット
３３  第二駆動ユニット
５１  第一デマルチプレクサユニット
５２  第二デマルチプレクサユニット
５３  入力端
５４  出力端
５５  第一デマルチプレクサ
５６  入力端
５７  出力端
５８  第二デマルチプレクサ
６  破線円形箇所
７  破線円形箇所
６１  ゲート線
６２  データ線
６３ 第一データ線
６４ 第二データ線
６５ 第三データ線
Ｄｎ  データ線
Ｄｎ‐２  データ線
Ｇｍ  ゲート線
Ｇｉ  ゲート線
ＣＫＨ１  第一信号
ＣＫＨ２ 第二信号
ＣＫＨ３ 第三信号
【図１】
0003200183.tif 000003
【図２】
0003200183.tif 000004
【図３】
0003200183.tif 000005
【図４】
0003200183.tif 000006
【図５】
0003200183.tif 000007
【図６】
0003200183.tif 000008
【図７】
0003200183.tif 000009